(57)【要約】【課題】  ランドセルの背負いベルトの下端が係止されるダルマ座を有する金具において、そのダルマ座が不用意に移動しないと共に、ダルマ座の位置を一方側と他方側との任意に固定することができるものの提供。【解決手段】  長孔４の中間位置で、金具本体３内にストッパ部材８を弾性体９を介して取り付ける。そしてストッパ部材８に隣接しスライド材１０を配置し、そのスライド材１０とダルマ体７とをピン５により連結し、ピン５を長孔４に貫通する。そして、スライド材１０に係合部１２を設け、ストッパ部材８に係止部１１を設け、係止部１１と係合部１２との間を常時係合させる。そしてストッパ部材８の押し込み部８ａを押込んだとき係止部１１と係合部１２の係合を外し、スライド材１０が左右に移動できるようにする。【選択図】        図１
0003152973.tif 000002
【実用新案登録請求の範囲】
【請求項１】
ランドセル本体(1) の底面(2) に取付けられる細長い金具本体(3) と、その金具本体(3) の両端部に設けた一対の長孔(4)と、各長孔(4)にピン(5)を介してスライド自在に取付けられ、背負いベルト(6)の下端が係止されるダルマ体(7) と、を有するランドセルのダルマ座金具において、
長孔(4)の長手方向中央位置で金具本体(3) に、ストッパ部材(8) がその金具本体(3) の幅方向へ移動自在に配置されると共に、そのストッパ部材(8) の一端部に設けた押し込み部(8a)が前記金具本体(3) から露出され且つ、ストッパ部材(8) はその幅方向の押し込み部(8a)側に弾性体(9) により付勢され、
前記長孔(4)に挿通された前記ピン(5)の一端に前記ダルマ体(7) が取付けられると共に、他端にスライド材(10)が設けられ、
そのスライド材(10)と前記ストッパ部材(8) とには、常時はストッパ部材(8) とスライド材(10)が係合して、前記ダルマ体(7) が長孔(4)の長手方向に移動しない係合手段と、ストッパ部材(8) の押し込み部(8a)を前記弾性体(9) の付勢力に抗して押し込んだときのみ、前記係合が解除されて、前記ダルマ体(7) が長孔(4)の長手方向に移動できる解除手段と、を有することを特徴とするランドセルのダルマ座金具。
【請求項２】
請求項１において、
前記ストッパ部材(8) とスライド材(10)との各対向面側で、その一方に係止部(11)が設けられ、他方に係合部(12)が設けられ、常時は係止部(11)と係合部(12)とが係合され、そのストッパ部材(8) を前記押し込み部(8a)側に移動したとき、それに伴い前記係止部(11)と係合部(12)との係合が解除されるように構成され、
前記ストッパ部材の押し込み部(8a)の外面が、金具本体(3) の周壁(19)と略面一に配置されたランドセルのダルマ座金具。
【考案の詳細な説明】
【技術分野】
【０００１】
この考案は、ランドセルの背負いベルト下端部の取付金具（金具はプラスチック樹脂製のものを含む）の改良に関する。より詳しくはバンド取付け環に連結するダルマ体の左右方向の移動位置を可変としたものに関する。
【背景技術】
【０００２】
一対の背負いベルトの下端は一対のダルマ体を介して、金具本体に固定され、その金具本体がランドセルの底面に固定されている。そしてダルマ体は、金具本体の長孔にピンを介して取付けられ、その長孔内を左右方向にスライド可能に取付けられている。これは、学童の成長に応じて一対の背負いベルトの下端位置を広くし、背負いやすいランドセルを提供するものである。そのための提案として、下記特許文献１，特許文献２に記載のもの、その他が提案されている。
【０００３】
これらの提案は、ダルマ体のバンド取付け環が通常の背負い位置から９０度回転したとき、金具本体の長孔を移動できるようにしたものである。その手段として、ダルマ体の外周を異形にし、その座面をそれに整合する２つの異形の連結体とし、バンド取付け環およびダルマ体が９０度回転したときのみ、その座部を移動できるようにしたものである。あるいはダルマ体に取付けられたピン自体の形状を異形にし、それが９０度回転したときのみ長孔を移動できるようにしたものである。
【先行技術文献】
【特許文献】
【０００４】
【特許文献１】実開昭５９−１５７７５号公報
【特許文献２】実開昭６４−３５９１９号公報
【考案の概要】
【考案が解決しようとする課題】
【０００５】
従来のダルマ座金具は、児童が背負いベルトを肩から外して机等に置くとき、不用意にダルマ体の位置が移動してしまうことがあった。これは比較的乱暴に背負いベルトを肩から外すと、そのバンド取付け環およびダルマ体が背負い位置から９０度回転すると共に、反動でダルマ体が長孔を移動してしまうからである。移動後に、バンド取付け環およびダルマ体が９０度回転して戻ると、ダルマ体は元の位置に戻らなくなる。児童がそれを元の位置に戻すことは困難であり、不都合な移動状態でそのまま使用されることになる。
さらにはダルマ体の移動手段が父兄にもわかりにくく、児童の体格が大きくなってもダルマ体の位置を使いにくいままにして使用していることがしばしば存在した。
そこで本考案は、少々、かばんを乱暴に扱ってもダルマ体が移動することがなく且つ、必要なときには、その移動方法が外見から分かり易く、それを容易に移動し易い構造のランドセルのダルマ座金具を提供することを課題とする。
【課題を解決するための手段】
【０００６】
請求項１に記載の本考案は、ランドセル本体(1) の底面(2) に取付けられる細長い金具本体(3) と、その金具本体(3) の両端部に設けた一対の長孔(4)と、各長孔(4)にピン(5)を介してスライド自在に取付けられ、背負いベルト(6)の下端が係止されるダルマ体(7) と、を有するランドセルのダルマ座金具において、
長孔(4)の長手方向中央位置で金具本体(3) に、ストッパ部材(8) がその金具本体(3) の幅方向へ移動自在に配置されると共に、そのストッパ部材(8) の一端部に設けた押し込み部(8a)が前記金具本体(3) から露出され且つ、ストッパ部材(8) はその幅方向の押し込み部(8a)側に弾性体(9) により付勢され、
前記長孔(4)に挿通された前記ピン(5)の一端に前記ダルマ体(7) が取付けられると共に、他端にスライド材(10)が設けられ、
そのスライド材(10)と前記ストッパ部材(8) とには、常時はストッパ部材(8) とスライド材(10)が係合して、前記ダルマ体(7) が長孔(4)の長手方向に移動しない係合手段と、ストッパ部材(8) の押し込み部(8a)を前記弾性体(9) の付勢力に抗して押し込んだときのみ、前記係合が解除されて、前記ダルマ体(7) が長孔(4)の長手方向に移動できる解除手段と、を有することを特徴とするランドセルのダルマ座金具である。
【０００７】
請求項２に記載の本考案は、請求項１において、
前記ストッパ部材(8) とスライド材(10)との各対向面側で、その一方に係止部(11)が設けられ、他方に係合部(12)が設けられ、常時は係止部(11)と係合部(12)とが係合され、そのストッパ部材(8) を前記押し込み部(8a)側に移動したとき、それに伴い前記係止部(11)と係合部(12)との係合が解除されるように構成され、
前記ストッパ部材の押し込み部(8a)の外面が、金具本体(3) の周壁(19)と略面一に配置されたランドセルのダルマ座金具である。
【考案の効果】
【０００８】
本考案のランドセルのダルマ座金具は、常時はストッパ部材８とスライド材１０とが係合して、ダルマ体７が長孔４の長手方向に移動しない係合手段が設けられる。また、ストッパ部材８の押し込み部８ａを弾性体９の付勢力に抗して押込んだときのみ、その係合が解除されて、ダルマ体７が長孔４の長手方向に移動できる解除手段を設けたものである。それ故、従来のように、そのダルマ体７が不用意に回転しても、それが長孔４内を移動することがない。そのため通常の使用時に誤ってダルマ体７が移動することを、防止できる効果がある。
そして、ストッパ部材８の押し込み部８ａを押込んだときのみ、ダルマ体７の移動が可能であり、信頼性が高い。
また押し込み部８ａは金具本体３に露出され、操作が容易であると共に、ダルマ体７を移動する方法が外部から明確にわかる効果がある。
【図面の簡単な説明】
【０００９】
【図１】本考案のランドセルのダルマ座金具の要部分解斜視図。
【図２】同組立て状態を示す平面図であって、ストッパ部材８の通常の状態を示し、そのスライド材１０が移動できない位置にある。
【図３】同ストッパ部材８の押し込み状態を示し、スライド材１０を水平方向に移動できる状態を示す。
【図４】本金具の一部破断（IV−IV線）正面図。
【図５】同平面図。
【図６】同金具の使用状態を示す平面図。
【考案を実施するための形態】
【００１０】
次に、図面に基づいて、本考案のランドセルのダルマ座金具の実施の形態につき説明する。
本考案のダルマ座金具は、図６に示すように、ランドセル本体１の底面２に一例として止着鋲２３を介して取付けられる。その金具本体３の中央位置には、係止摘み１５が回動自在に配置され、それを図６において水平位置に回動し、蓋止め具１４の開口１４ａを着脱自在に取付け、係止摘み１５の垂直位置の回動により、蓋止め具１４を係止する。この蓋止め具１４は延長ベルト１６の先端に固定され、その延長ベルト１６は後端が蓋１７に固定されている。そして、係止摘み１５を回転させることにより蓋１７を開閉自在とするものである。
【００１１】
次に、本考案の特徴は、その金具本体３の両端部に、一対の長孔４が設けられ、その長孔４にピン５を介してダルマ体７が挿通される。そして、そのピン５の先端には図１に示すスライド材１０が固定されている。図１〜図３に示す、ダルマ体７と一体となすスライド材１０は、ストッパ部材８により係脱自在に位置決めされるものである。このスライド材１０は、金具本体３の内側両端部に設けた略矩形の内壁２０内の端部に位置し、その両側に係合部１２が立ち上げられている。そしてスライド材１０に隣接し、矩形枠の中央部にストッパ部材８が配置される。ストッパ部材８の両端にはＴ字状の押し込み部８ａと、フランジ２５が突設されている。そして、ストッパ部材８には、そのフランジ２５に隣接して係止部１１が設けられ、さらに押し込み部８ａに隙間を介して、係止部１１が凸条に形成されている。
【００１２】
そして、押し込み部８ａが金具本体３の周壁１９の端部に形成された欠切部２２に嵌着され、フランジ２５が内壁２０に隣接した小枠２４に嵌入する。そしてストッパ部材８のフランジ２５側端部に設けたバネ座１８と、それに対抗して設けた金具本体３のバネ座１８との間にコイルスプリングからなる弾性体９が介装される。そしてこの弾性体９によりストッパ部材８が欠切部２２側に付勢され、図２の状態になる。このときフランジ２５側の係止部１１は小枠２４の欠切部２１に隣接する。そしてフランジ２５が欠切部２１に隣接する壁面に当接される。また、ストッパ部材８の押し込み部８ａは図２に示す如く、その外面が金具本体３の周壁１９と面一になる。そして図２において、ストッパ部材８の一対の係止部１１がスライド材１０の一対の係合部１２に係止されている。すなわち、スライド材１０は図２の位置を左方に移動することができない。
【００１３】
（作用）
図２の状態から、ストッパ部材８の押し込み部８ａを弾性体９に抗して奥に押込むことにより、ストッパ部材８の係止部１１はスライド材１０の係合部１２から外れた位置に移動する。すると、ダルマ体７を図３に示す如く、左側に移動することができる。左側に完全に移動したとき、ストッパ部材８の押し込み部８ａを復帰させれば、再び両者は係合し、その状態を維持してスライド材１０が右側に移動することができない。
このようにストッパ部材８の押し込み部８ａを押込むことにより、スライド材１０の位置を左側の位置と右側の位置とに入替えることが容易にできる。
なお、この例では係止部１１および係合部１２ともに凸条に形成したが、一方側を凸条とし、他方側を厚みのあるものとすると共に、他方側の一部に溝を設け、押し込み部８ａを押込んだときその溝と一方側の凸条とが整合して、溝内を凸条が移動できるようにしてもよい。その係合手段は各種公知のものを使用することができる。なお、ストッパ部材８およびスライド材１０の外面側には、図２，図３の右側に示す、蓋板２６が被着固定される。
【符号の説明】
【００１４】
１  ランドセル本体
２  底面
３  金具本体
４  長孔
５  ピン
６  背負いベルト
７  ダルマ体
８  ストッパ部材
8a  押し込み部
９  弾性体
10  スライド材
【００１５】
11  係止部
12  係合部
13  バンド取付環
14  蓋止め具
14ａ  開口
15  係止摘み
16  延長ベルト
17  蓋
18  バネ座
19  周壁
【００１６】
20  内壁
21  欠切部
22  欠切部
23  止着鋲
24  小枠
25  フランジ
26  蓋板
【図１】
0003152973.tif 000003
【図２】
0003152973.tif 000004
【図３】
0003152973.tif 000005
【図４】
0003152973.tif 000006
【図５】
0003152973.tif 000007
【図６】
0003152973.tif 000008